(57)【要約】【課題】被記録媒体の担持面を帯電させることにより被記録媒体を担持して搬送可能な記録装置において、被記録媒体の搬送時における水分の影響を抑制する。【解決手段】帯電された担持面により被記録媒体Ｐを担持し、前記担持面４を移動させることにより前記被記録媒体Ｐを搬送する搬送機構と、前記搬送機構によって搬送される前記被記録媒体Ｐに記録可能な記録ヘッド９と、前記担持面４をＡＣ帯電させる第１帯電部１９と、前記担持面４をＤＣ帯電させる第２帯電部２０と、を備え、前記第１帯電部１９と前記第２帯電部２０とを切り替えて前記担持面４を帯電可能である。【選択図】図１
2014172709.tif 000002
【特許請求の範囲】
【請求項１】
帯電された担持面により被記録媒体を担持し、前記担持面を移動させることにより前記被記録媒体を搬送する搬送機構と、
前記搬送機構によって搬送される前記被記録媒体に記録可能な記録ヘッドと、
前記担持面に、マイナスの電荷が帯電した帯電領域と、プラスの電荷が帯電した帯電領域とを交互に形成するＡＣ帯電を行う第１帯電部と、
前記担持面に、前記マイナスの電荷が帯電した帯電領域と、前記プラスの電荷が帯電した帯電領域とのいずれかを形成するＤＣ帯電を行う第２帯電部と、
前記第１帯電部により前記担持面に前記ＡＣ帯電を行うのか、前記第２帯電部により前記担持面に前記ＤＣ帯電を行うのかを切り替える制御部と、
を備える記録装置。
【請求項２】
請求項１に記載の記録装置において、
湿度を特定する手段をさらに備え、
前記制御部は、
特定された前記湿度が閾値の湿度を超えない場合に、前記第１帯電部により前記担持面に前記ＡＣ帯電を行い、
特定された前記湿度が閾値の湿度を超える場合に、前記第２帯電部により前記担持面に前記ＤＣ帯電を行う、記録装置。
【請求項３】
請求項１又は２に記載の記録装置において、
前記搬送機構における搬送不良の有無を特定する搬送不良特定手段をさらに備え、
前記制御部は、
搬送不良が無いことが特定された場合に、前記第１帯電部により前記担持面に前記ＡＣ帯電を行い、
搬送不良が有ることが特定された場合に、前記第２帯電部により前記担持面に前記ＤＣ帯電を行う、記録装置。
【請求項４】
請求項３に記載の記録装置において、
前記搬送機構は、無端ベルトであり、
前記搬送不良特定手段は、前記無端ベルトにおける搬送不良の有無を特定する、記録装置。
【請求項５】
請求項１から４のいずれか１項に記載の記録装置において、
前記担持面に対して液体が付着した量を特定する手段をさらに備え、
前記制御部は、
前記液体が付着した量が閾値の量を超えない場合に、前記第１帯電部により前記担持面に前記ＡＣ帯電を行い、
前記液体が付着した量が閾値の量を超える場合に、前記第２帯電部により前記担持面に前記ＤＣ帯電を行う、記録装置。
【請求項６】
請求項１から５のいずれか１項に記載の記録装置において、
前記被記録媒体に記録が開始されてから経過した時間を特定する手段をさらに備え、
前記制御部は、
特定された前記時間が閾値の時間を超えない場合に、前記第１帯電部により前記担持面に前記ＡＣ帯電を行い、
特定された前記時間が閾値の時間を超える場合に、前記第２帯電部により前記担持面に前記ＤＣ帯電を行う、記録装置。
【請求項７】
請求項１から６のいずれか１項に記載の記録装置において、
前記被記録媒体を反転させる反転機構をさらに備え、
前記制御部は、
前記被記録媒体の第１面への記録後に、該被記録媒体を前記反転機構により反転させて前記第１面の反対側の第２面に前記記録ヘッドにより記録する両面記録モードにより記録可能であり、
前記第１面への記録の際、前記第１帯電部により前記担持面に前記ＡＣ帯電を行い、
前記第２面への記録の際、前記第２帯電部により前記担持面に前記ＤＣ帯電を行う、記録装置。
【請求項８】
請求項１から６のいずれか１項に記載の記録装置において、
前記被記録媒体を反転させる反転機構をさらに備え、
前記制御部は、
前記被記録媒体の第１面への記録後に、該被記録媒体を前記反転機構により反転させて前記第１面の反対側の第２面に前記記録ヘッドにより記録する両面記録モードにより記録可能であり、
前記両面記録モードによる前記第１面への記録の際および前記第２面への記録の際、前記第２帯電部により前記担持面に前記ＤＣ帯電を行う、記録装置。
【請求項９】
請求項３から８のいずれか１項に記載の記録装置において、
前記担持面をクリーニングするクリーニング部を備え、
前記クリーニング部は、前記第１帯電部による前記ＡＣ帯電から前記第２帯電部による前記ＤＣ帯電へ切り替えられる場合に、前記担持面をクリーニングする、記録装置。
【請求項１０】
請求項９に記載の記録装置において、
前記クリーニング部は、布ロールを有し、
布を送りながら前記担持面をクリーニングすることが可能であり、
前記第２帯電部により前記担持面に前記ＤＣ帯電が行われている間、前記布を送ることなく前記担持面をクリーニングする、
記録装置。
【請求項１１】
請求項１から１０のいずれか１項に記載の記録装置において、
前記記録ヘッドは、インクを吐出するノズルが前記被記録媒体の搬送方向と交差する方向に複数並べて設けられるラインヘッドであることを特徴とする記録装置。
【請求項１２】
帯電された担持面により被記録媒体を担持し、前記担持面を移動させることにより前記被記録媒体を搬送する搬送機構と、前記搬送機構によって搬送される前記被記録媒体に記録可能な記録ヘッドと、前記担持面に、マイナスの電荷が帯電した帯電領域と、プラスの電荷が帯電した帯電領域とを交互に形成するＡＣ帯電を行う第１帯電部と、前記担持面に、前記マイナスの電荷が帯電した帯電領域と、前記プラスの電荷が帯電した帯電領域とのいずれかを形成するＤＣ帯電を行う第２帯電部と、を備える記録装置を用いて行う記録方法であって、
前記第１帯電部により前記担持面に前記ＡＣ帯電を行うことと、前記第２帯電部により前記担持面に前記ＤＣ帯電を行うこととを切り替えて、前記記録ヘッドにより前記被記録媒体に記録を行う、記録方法。
【発明の詳細な説明】
【技術分野】
【０００１】
本発明は、被記録媒体を担持する担持面を帯電させることにより前記被記録媒体を担持して搬送可能な記録装置及び記録方法に関する。
【背景技術】
【０００２】
従来から、例えば、静電吸着式の無端ベルトを備える記録装置のように、被記録媒体を担持する担持面を帯電させることにより前記被記録媒体を担持して搬送する記録装置が使用されている。このような記録装置のうち、担持面をＡＣ帯電させて被記録媒体を担持する記録装置がある。例えば、特許文献１には、担持面である搬送ベルトにＡＣバイアスを印加する帯電手段を備える記録装置が開示されている。  
また、担持面をＡＣ帯電させて被記録媒体を担持する記録装置のほかに、担持面をＤＣ帯電させて被記録媒体を担持する記録装置がある。
【先行技術文献】
【特許文献】
【０００３】
【特許文献１】特開２００５−１５２２７号公報
【発明の概要】
【発明が解決しようとする課題】
【０００４】
担持面をＤＣ帯電させて被記録媒体を担持する記録装置は、被記録媒体も帯電させて担持面に吸着させる必要がある。このような記録装置で帯電された被記録媒体は、特に湿度の低い状態においては、被記録媒体表面の吸着水分量が少ないため被記録媒体における電荷は移動しづらく、担持面から外れた後も被記録媒体の帯電が維持されて静電気により周囲に付着しやすくなる。このため、このような記録装置では、特に湿度の低い状態においては、担持面から外れた後の被記録媒体の搬送の際、搬送負荷が大きくなる場合がある。
【０００５】
一方、担持面をＡＣ帯電させて被記録媒体を担持する記録装置は、湿度の高いところで使用する場合は、水分の影響により被記録媒体が担持面に吸着しづらくなる場合がある。これは、水分がＡＣ帯電された担持面における極性の異なる隣り合う帯電電位を互いに打ち消し合ってしまうためである。特許文献１で開示されている記録装置は、この課題に関する記載及び示唆はなく、この課題を解決する構成とはなっていない。
【０００６】
このように、従来の記録装置においては、被記録媒体の搬送時における水分の影響により搬送不良を生じる場合があった。
【０００７】
そこで、本発明の目的は、被記録媒体を担持する担持面を帯電させることにより被記録媒体を担持して搬送可能な記録装置において、被記録媒体の搬送時における水分の影響を抑制することである。
【課題を解決するための手段】
【０００８】
上記課題を解決するための本発明の第１の態様の記録装置は、被記録媒体の担持面を帯電させることにより前記被記録媒体を担持し、前記担持面を移動させることにより前記被記録媒体を搬送する搬送機構と、前記搬送機構によって搬送される前記被記録媒体に記録可能な記録ヘッドと、前記担持面に、マイナスの電荷が帯電した帯電領域と、プラスの電荷が帯電した帯電領域とを交互に形成するＡＣ帯電を行う第１帯電部と、前記担持面に、前記マイナスの電荷が帯電した帯電領域と、前記プラスの電荷が帯電した帯電領域とのいずれかを形成するＤＣ帯電を行う第２帯電部と、前記第１帯電部により前記担持面に前記ＡＣ帯電を行うのか、前記第２帯電部により前記担持面に前記ＤＣ帯電を行うのかを切り替える制御部と、を備えることを特徴とする。
【０００９】
ここで、「ＡＣ帯電」とは、マイナスの電荷が帯電した帯電領域と、プラスの電荷が帯電した帯電領域とを担持面に対して交互に形成することを意味し、ＤＣ帯電とは、いずれか一方の帯電領域を担持面に対して形成することを意味する。なお、ＡＣ帯電もＤＣ帯電もともに被記録媒体を担持面にて担持するために行うので、例えば搬送機構が有する部材に対してマイナスの電荷が帯電した帯電領域とプラスの電荷が帯電した帯電領域とを交互に形成する場合であっても、被記録媒体を担持する担持面における帯電領域がいずれか一方の電荷についてのみである場合には、ＤＣ帯電により担持されているとする。
【００１０】
本態様によれば、例えば低湿度環境と高湿度環境とで、前記担持面をＡＣ帯電させるかＤＣ帯電させるか切り替えることが可能である。このため、低湿度環境ではＡＣ帯電させることにより担持面から外れた後の被記録媒体の搬送の際の搬送負荷の増大を抑制し、被記録媒体からの放電が生じやすい高湿度環境ではＤＣ帯電させることにより水分の影響により被記録媒体が担持面に吸着しづらくなることを抑制することが可能になる。すなわち、被記録媒体を担持する担持面を帯電させることにより被記録媒体を担持して搬送可能な記録装置において、被記録媒体の搬送時における水分の影響を抑制することが可能になる。
【００１１】
本発明の第２の態様の記録装置は、前記第１の態様において、湿度を特定する手段をさらに備え、前記制御部は、特定された前記湿度が閾値の湿度を超えない場合に、前記第１帯電部により前記担持面に前記ＡＣ帯電を行い、特定された前記湿度が閾値の湿度を超える場合に、前記第２帯電部により前記担持面に前記ＤＣ帯電を行う。
【００１２】
ここで、「湿度を特定する」とは、記録装置の設置された環境湿度を特定する場合のほか、記録実行によるインクミストにより担持面付近の湿度が高くなっていることを勘案させた情報等、一定の条件を勘案させた情報を記録装置が受け付ける場合を含む意味である。また、「湿度を特定する手段」としては、例えば、記録装置に設けられ、湿度を検出可能な湿度センサーや、記録装置に設けられ、ユーザーからの湿度情報の入力を受付け可能なユーザーインターフェースが挙げられる。
【００１３】
本態様によれば、特定された湿度が閾値の湿度を超えない低湿度環境ではＡＣ帯電させることにより担持面から外れた後の被記録媒体の搬送の際の搬送負荷の増大を抑制し、特定された湿度が閾値の湿度を超える高湿度環境ではＤＣ帯電させることにより水分の影響により被記録媒体が担持面に吸着しづらくなることを抑制することができる。
【００１４】
本発明の第３の態様の記録装置は、前記第１又は第２の態様において、前記搬送機構における搬送不良の有無を特定する搬送不良特定手段をさらに備え、前記制御部は、搬送不良が無いことが特定された場合に、前記第１帯電部により前記担持面に前記ＡＣ帯電を行い、搬送不良が有ることが特定された場合に、前記第２帯電部により前記担持面に前記ＤＣ帯電を行う。
【００１５】
ここで「搬送不良の有無を特定する」のは、搬送不良が被記録媒体の搬送時における水分の影響を生じさせる一例といえるからである。すなわち、搬送不良があると、記録ヘッドのインク吐出部と対向する位置に被記録媒体が搬送されていないにもかかわらず記録ヘッドからインクが吐出され、担持面にインクが付着する場合がある。担持面に付着したインクは、被記録媒体の搬送に影響を与える水分といえるからである。なお、「搬送不良の有無を特定する」とは、搬送不良が有ることや無いことを特定する場合のほか、搬送不良が有ることを特定しない場合や、搬送不良がないことを特定しない場合を含む意味である。また、「搬送不良の有無を特定する手段」としては、例えば、記録装置に設けられ、被記録媒体の搬送状態を検出するセンサーや、記録装置に設けられ、ユーザーからの搬送不良に関する情報の入力を受付け可能なユーザーインターフェースが挙げられる。
【００１６】
本態様によれば、被記録媒体の搬送時における水分の影響が相対的に大きいとみなすことができる場合には、担持面をＤＣ帯電させることにより、担持面へインクが付着して該インクの水分等により被記録媒体が担持面に吸着しづらくなるということを抑制することができる。また、被記録媒体の搬送時における水分の影響が相対的に小さいとみなすことができる場合には、担持面をＡＣ帯電させることにより、担持面から外れた後の被記録媒体の搬送の際の搬送負荷の増大を抑制することができる。
【００１７】
本発明の第４の態様の記録装置は、前記第３の態様において、前記搬送機構は、無端ベルトであり、前記搬送不良特定手段は、前記無端ベルトにおける搬送不良の有無を特定する。
【００１８】
本態様によれば、無端ベルトにおいて搬送不良が有り、被記録媒体の搬送時における水分の影響が相対的に大きいとみなすことができる場合には、無端ベルトの担持面をＤＣ帯電させることにより、担持面へインクが付着して該インクの水分等により被記録媒体が担持面に吸着しづらくなるということを抑制することができる。また、無端ベルトにおいて搬送不良が無く、被記録媒体の搬送時における水分の影響が相対的に小さいとみなすことができる場合には、担持面をＡＣ帯電させることにより、担持面から外れた後の被記録媒体の搬送の際の搬送負荷の増大を抑制することができる
【００１９】
本発明の第５の態様の記録装置は、前記第１から第４のいずれか１つの態様において、前記担持面に対して液体が付着した量を特定する手段をさらに備え、前記制御部は、前記液体が付着した量が閾値の量を超えない場合に、前記第１帯電部により前記担持面に前記ＡＣ帯電を行い、前記液体が付着した量が閾値の量を超える場合に、前記第２帯電部により前記担持面に前記ＤＣ帯電を行う。
【００２０】
ここで「担持面に対して液体が付着した量を特定する」のは、担持面に対して付着した液体が、被記録媒体の搬送時における水分の影響を生じさせる一例といえるからである。すなわち、ＡＣ帯電が行われた担持面に対して付着した液体があると、上述したように、水分が担持面における極性の異なる隣り合う帯電電位を互いに打ち消し合ってしまうためである。その結果、担持面に付着した液体は、上述のように被記録媒体の搬送に影響を与えうる。なお、「担持面に対して液体が付着した量を特定する」とは、担持面に対して付着した液体の多寡を特定する意味や、液体担持面に対して液体が付着したか否かを特定する意味や、前記担持面にインクや結露等の液体が付着したか否かを特定する場合を含む意味である。また「担持面に対して液体が付着した量を特定する手段」としては、例えば、記録装置に設けられ、担持面に付着した液体を検出可能な光学センサーや、記録装置に設けられ、担持面に対して液体が付着した量に関する情報のユーザーからの入力を受付け可能なユーザーインターフェースが挙げられる。
【００２１】
本態様によれば、被記録媒体の搬送時における水分の影響が相対的に大きいとみなすことができる場合には、担持面をＤＣ帯電させることにより、担持面へ液体が付着して該液体の水分等により被記録媒体が担持面に吸着しづらくなるということを抑制することができる。また、被記録媒体の搬送時における水分の影響が相対的に小さいとみなすことができる場合には、担持面をＡＣ帯電させることにより、担持面から外れた後の被記録媒体の搬送の際の搬送負荷の増大を抑制することができる。
【００２２】
本発明の第６の態様の記録装置は、前記第１から第５のいずれか１つの態様において、前記被記録媒体に記録が開始されてから経過した時間を特定する手段をさらに備え、前記制御部は、特定された前記時間が閾値の時間を超えない場合に、前記第１帯電部により前記担持面に前記ＡＣ帯電を行い、特定された前記時間が閾値の時間を超える場合に、前記第２帯電部により前記担持面に前記ＤＣ帯電を行う。
【００２３】
ここで「被記録媒体に記録を開始してから経過した時間を特定する」のは、記録を開始してから時間が経過し記録を行っている時間が長くなると、インクミスト等により担持面付近の湿度が上昇し、上述のように被記録媒体の搬送に影響を与えうるためである。なお、「被記録媒体に記録を開始してから経過した時間」は、被記録媒体に記録を開始してから経過した時間が特定できればよく、例えば記録装置の電源をＯＦＦからＯＮに切り替えた時から経過した時間のように、記録開始前からの時間を特定できる場合であってもよい。また「被記録媒体に記録を開始してから経過した時間を特定する手段」は、例えば、記録装置に設けられ、被記録媒体に記録を開始してからの時間を計測するタイマーや、記録装置に設けられ、被記録媒体に記録を開始してからの時間に関する情報のユーザーからの入力を受付け可能なユーザーインターフェースが挙げられる。
【００２４】
本態様によれば、被記録媒体の搬送時における水分の影響が相対的に大きいとみなすことができる場合には、担持面をＤＣ帯電させることにより、担持面へ液体が付着して該液体の水分等により被記録媒体が担持面に吸着しづらくなるということを抑制することができる。また、被記録媒体の搬送時における水分の影響が相対的に小さいとみなすことができる場合には、担持面をＡＣ帯電させることにより、担持面から外れた後の被記録媒体の搬送の際の搬送負荷の増大を抑制することができる。  
なお、時間情報に代えて、記録した被記録媒体の枚数や記録ヘッドにより記録を行う場合に吐出したインク滴の数を所定の閾値と比較して、本態様と同じ制御を行ってもよい。
【００２５】
本発明の第７の態様の記録装置は、前記第１から第６のいずれか１つの態様において、前記被記録媒体を反転させる反転機構をさらに備え、前記制御部は、前記被記録媒体の第１面への記録後に、該被記録媒体を前記反転機構により反転させて前記第１面の反対側の第２面に前記記録ヘッドにより記録する両面記録モードにより記録可能であり、前記第１面への記録の際、前記第１帯電部により前記担持面に前記ＡＣ帯電を行い、前記第２面への記録の際、前記第２帯電部により前記担持面に前記ＤＣ帯電を行う。
【００２６】
ここで、「第１面への記録の際、前記第１帯電部により前記担持面に前記ＡＣ帯電を行う」とは、少なくとも記録が行われる第１面を有する被記録媒体を担持する担持面に対してＡＣ帯電が行われればよく、当該担持面が移動した後の記録が行われる瞬間においてＡＣ帯電が行われていてもよいし、行われていなくてもよい。第２面についても同様である。
【００２７】
本態様によれば、被記録媒体の第１面に記録する際には第１帯電部により担持面をＡＣ帯電させる。また、第１面が記録され、被記録媒体中の水分が多くなった被記録媒体の第２面に記録する際には第２帯電部により担持面をＤＣ帯電させる。このため、水分を含んだ被記録媒体が担持面に吸着しづらくなるということを抑制できる。
【００２８】
本発明の第８の態様の記録装置は、前記第１から第６のいずれか１つの態様において、前記被記録媒体を反転させる反転機構をさらに備え、前記制御部は、前記被記録媒体の第１面への記録後に、該被記録媒体を前記反転機構により反転させて前記第１面の反対側の第２面に前記記録ヘッドにより記録する両面記録モードにより記録可能であり、前記両面記録モードによる前記第１面への記録の際および前記第２面への記録の際、前記第２帯電部により前記担持面に前記ＤＣ帯電を行う。
【００２９】
本態様によれば、被記録媒体の第１面に記録する際であっても、第１面が記録され、被記録媒体中の水分が多くなった被記録媒体の第２面に記録する際であっても、第２帯電部により担持面をＤＣ帯電させる。このため、水分を含んだ被記録媒体が担持面に吸着しづらくなるということを抑制できる。また、第１帯電部と第２帯電部との切り替えを行わないので、帯電の切り替え制御負荷を抑制できる。
【００３０】
本発明の第９の態様の記録装置は、前記第１から第６のいずれか１つの態様において、前記担持面をクリーニングするクリーニング部を備え、前記クリーニング部は、前記第１帯電部による前記ＡＣ帯電から前記第２帯電部による前記ＤＣ帯電へ切り替えられる場合に、前記担持面をクリーニングする。
【００３１】
ここで、ＤＣ帯電からＡＣ帯電へ切り替えられる場合は、低湿度環境から高湿度環境へ変化し、被記録媒体の搬送時における水分の影響が大きくなったということができる。  
本態様によれば、被記録媒体の搬送時における水分の影響が相対的に大きいとみなすことができる場合には、担持面をＤＣ帯電させるとともに、担持面をクリーニングすることにより、担持面へ液体が付着して該液体の水分等により被記録媒体が担持面に吸着しづらくなるということを抑制することができるとともに、当該影響の原因となる水分を除去することができる。
【００３２】
本発明の第１０の態様の記録装置は、前記第９の態様において、前記クリーニング部は、布ロールを有し、布を送りながら前記担持面をクリーニングすることが可能であり、前記第２帯電部により前記担持面に前記ＤＣ帯電が行われている間、前記布を送ることなく前記担持面をクリーニングする。
【００３３】
ここで、「クリーニング部」は、布を送りながら担持面をクリーニングすることが可能である。よって、布ロールの布を送りつつ担持面をクリーニングすることもできるし、布を送ることなく担持面をクリーニングすることもできる。例えば、前者のクリーニングを行った後に後者のクリーニングをすることで、前者のクリーニングで担持面にインクが多少残った場合でもその残ったインクを後者のクリーニングにより除去することが可能になる。
【００３４】
本態様によれば、被記録媒体に対する記録を行うために担持面を帯電させながらクリーニングを行うことができるので、記録のスループットの低下を抑制できる。また、第２帯電部により担持面をＤＣ帯電させるのでインクの水分等により被記録媒体が担持面に吸着しづらくなるということを抑制することができる。また、布ロールの布を送ることなく担持面のクリーニングを行うので、布ロールの消費を抑制できる。
【００３５】
本発明の第１１の態様の記録装置は、前記第１から第１０のいずれか１つの態様において、前記記録ヘッドは、インクを吐出するノズルが前記被記録媒体の搬送方向と交差する方向に複数並べて設けられるラインヘッドであることを特徴とする。
【００３６】
記録ヘッドとしてラインヘッドを備える記録装置は、一般的に記録速度が速く単位時間当たりのインク吐出量が多くなる。このため、記録装置の設置環境は低湿度環境である場合でも、担持面付近は高湿度環境になりやすい。すなわち、ラインヘッドを備える記録装置では、担持面付近の湿度は大きく変化しやすい。  
本態様によれば、担持面付近の湿度が大きく変化しやすいラインヘッドを備える記録装置においても、被記録媒体の搬送時における水分の影響を抑制することが可能になる。
【００３７】
本発明の第１２の態様の記録方法は、帯電された担持面により被記録媒体を担持し、前記担持面を移動させることにより前記被記録媒体を搬送する搬送機構と、前記搬送機構によって搬送される前記被記録媒体に記録可能な記録ヘッドと、前記担持面に、マイナスの電荷が帯電した帯電領域と、プラスの電荷が帯電した帯電領域とを交互に形成するＡＣ帯電を行う第１帯電部と、前記担持面に、前記マイナスの電荷が帯電した帯電領域と、前記プラスの電荷が帯電した帯電領域とのいずれかを形成するＤＣ帯電を行う第２帯電部と、を備える記録装置を用いて行う記録方法であって、前記第１帯電部により前記担持面に前記ＡＣ帯電を行うことと、前記第２帯電部により前記担持面に前記ＤＣ帯電を行うこととを切り替えて、前記記録ヘッドにより前記被記録媒体に記録を行う。
【００３８】
本態様によれば、低湿度環境と高湿度環境とで、前記担持面をＡＣ帯電させるかＤＣ帯電させるか切り替えることが可能である。このため、低湿度環境ではＡＣ帯電させることにより担持面から外れた後の被記録媒体の搬送の際の搬送負荷の増大を抑制し、被記録媒体からの放電が生じやすい高湿度環境ではＤＣ帯電させることにより水分の影響により被記録媒体が担持面に吸着しづらくなることを抑制することが可能になる。すなわち、被記録媒体の担持面を帯電させることにより被記録媒体を担持して搬送可能な記録装置において、被記録媒体の搬送時における水分の影響を抑制して記録することが可能になる。
【図面の簡単な説明】
【００３９】
【図１】本発明の実施例１に係る記録装置の概略側面図。
【図２】本発明の実施例１に係る記録装置のブロック図。
【図３】本発明の実施例２に係る記録装置の概略側面図。
【図４】本発明の実施例に係る記録方法を説明するためのフローチャート。
【発明を実施するための形態】
【００４０】
［実施例１］（図１〜図２）  
以下に、本発明の実施例１に係る記録装置について、添付図面を参照して詳細に説明する。  
最初に、本発明の実施例１に係る記録装置１の概要について説明する。なお、本実施例の記録装置１は、被記録媒体Ｐの搬送機構として静電吸着式の無端ベルトを有する記録装置である。ただし、このような構成に限定されない。  
図１は本実施例の記録装置１の概略側面図である。
【００４１】
本実施例の記録装置１は、記録を行うための被記録媒体Ｐを保持するトレイ２を備えており、ピックアップローラーＲｐでピックアップされた被記録媒体Ｐはトレイ２から無端ベルト４まで搬送ローラーＲにより搬送経路３を搬送方向Ａ１に搬送される。ここで、搬送ローラーＲは駆動ローラーと従動ローラーにより被記録媒体Ｐを挟持して搬送する。
【００４２】
本実施例の記録装置１は、単票タイプの被記録媒体Ｐを連続して搬送して連続して記録することができる。連続して被記録媒体Ｐに記録する場合、被記録媒体Ｐ同士の間隔が一定の間隔となるように、搬送ローラーとしての役割も兼ねるゲートローラーＲｇが開閉（回転及び停止）し、無端ベルト４に被記録媒体Ｐを送る。
【００４３】
無端ベルト４に送られた被記録媒体Ｐは、加圧ローラー７により押し当てられて無端ベルト４に付着する。無端ベルト４に付着されて担持された被記録媒体Ｐは、搬送方向Ａ２に搬送されながら、インクを吐出するノズルが搬送方向Ａ２と交差する方向に複数並べて設けられるラインヘッドである記録ヘッド９により、記録される。  
なお、加圧ローラー７は、導電性の素材を用いて構成されており、接地されている。加圧ローラー７は、このような構成により、無端ベルト４をＤＣ帯電させて被記録媒体Ｐを該無端ベルト４に吸着させる際、被記録媒体Ｐにおける無端ベルト４と接触している側とは反対側の面から電荷を逃がすことが可能な構成となっている。すなわち、本実施例の記録装置１は、ＤＣ帯電させた無端ベルト４に被記録媒体Ｐを吸着させるために、該被記録媒体Ｐを無端ベルト４とは逆に帯電させることが可能な構成となっている。
【００４４】
また、本実施例の記録装置１は、ブラックインク、シアンインク、マゼンタインク及びイエローインクで記録可能なラインヘッドを備える記録装置であるが、このような構成に限定されない。記録ヘッドを往復走査させて記録する記録装置としてもよいし、その他の色のインクを使用可能な記録装置としてもよい。また、インクの種類ごとにラインヘッドを備えてもよいし、複数の種類のインクに対して１つのラインヘッドを備えてもよい。また、記録装置１は、例えばシアンインク、マゼンタインク及びイエローインクを備えず、ブラックインクのみで記録可能であってもよい。
【００４５】
また、本実施例の記録装置１は、記録ヘッド９に対して搬送方向Ａ２の上流側及び下流側には、被記録媒体Ｐの通過を検出可能な光学センサーＳ１及び光学センサーＳ２が備えられている。このため、光学センサーＳ１で被記録媒体Ｐの通過を検出し、被記録媒体Ｐの搬送速度と光学センサーＳ１からＳ２までの距離とに基づく時間の経過後に光学センサーＳ２で被記録媒体Ｐの通過を検出しなかった場合、被記録媒体Ｐの搬送不良があったと判断することができる。被記録媒体Ｐの搬送不良を検出した場合、被記録媒体Ｐが搬送されていないにもかかわらず記録ヘッド９からインクが吐出されることとなるため、無端ベルト４にインクが付着することとなる。このため、本実施例の記録装置１は、光学センサーＳ１及び光学センサーＳ２により被記録媒体Ｐの搬送不良を検出すると、無端ベルト４のクリーニングを行う。
【００４６】
無端ベルト４のクリーニングは、クリーニング部３８により実行可能である。クリーニング部３８は、無端ベルト４に付着したインクをクリーニング可能な布Ｃを有する布ロールを方向Ｂに送りながらクリーニングすることが可能であるとともに、布ロールを送ることなくクリーニングすることも可能である。
【００４７】
本実施例の記録装置１の記録領域における搬送機構は、ＡＣ帯電回路１９に接続され無端ベルト４をＡＣ帯電させることが可能な帯電ローラー８と、ＤＣ帯電回路２０に接続され無端ベルト４をＤＣ帯電させることが可能な帯電ローラー１８と、を備えている。なお、本実施例の記録装置１では、第１帯電部としてのＡＣ帯電回路１９と帯電ローラー８とが接続され、第２帯電部としてのＤＣ帯電回路２０と帯電ローラー１８とが接続されている。そして、本実施例の記録装置１は、無端ベルト４を帯電させるために駆動する帯電部をＡＣ帯電回路１９とＤＣ帯電回路２０とで切り替えて該無端ベルト４を帯電させ、該無端ベルト４をローラー５、６により回転させて被記録媒体Ｐを搬送する構成である。
【００４８】
本実施例の記録装置１は、反転機構１０により、被記録媒体Ｐの片面だけでなく両面に記録可能な構成となっている。本実施例の記録装置１は、被記録媒体Ｐの両面に記録する場合、被記録媒体Ｐの片面（第１面）への記録終了後、被記録媒体Ｐの搬送方向を変更可能なガイド部Ｇ１を移動させることにより、被記録媒体Ｐが搬送経路１１を通るようにする。そして、片面への記録が終了した被記録媒体Ｐは、一度スタック部１２にスタックされ、搬送経路１３を通り搬送経路３に戻されることにより該片面の裏面（第２面）が記録ヘッド９に対向するように、搬送経路１１及び搬送経路１３を搬送方向Ａ３に搬送され、再び搬送方向Ａ１及び搬送方向Ａ２に搬送される。
【００４９】
本実施例の記録装置１は、記録ヘッド９による記録が終了した被記録媒体Ｐを、搬送経路１４を搬送方向Ａ４に搬送してトレイ１５にスタックすることができるとともに、搬送経路１６を搬送方向Ａ５に搬送してトレイ１７にスタックすることができる。すなわち、被記録媒体Ｐの片面に記録する場合において、搬送経路１６は、記録ヘッド９により記録がなされた被記録媒体Ｐを反転して排出する排出機構の役割を有している。  
なお、このトレイ１５へのスタックとトレイ１７へのスタックとの切り替えは、ガイド部Ｇ２を移動させることにより行われる。
【００５０】
次に、本実施例の記録装置１における電気的な構成について説明する。  
図２は、本実施例の記録装置１のブロック図である。  
制御部２１には、記録装置１の全体の制御を司るＣＰＵ２２が設けられている。ＣＰＵ２２は、システムバス２３を介して、ＣＰＵ２２が実行する各種制御プログラム等を格納したＲＯＭ２４と、データを一時的に格納可能なＲＡＭ２５と接続されている。また、ＣＰＵ２２は、システムバス２３を介して、記録ヘッド９を駆動するためのヘッド駆動部２６と接続されている。
【００５１】
また、ＣＰＵ２２は、システムバス２３を介して、ピックアップローラー用モーター３３、ゲートローラー用モーター３４、搬送ローラー用モーター２８及び無端ベルト駆動ローラー用モーター３５を駆動させるためのモーター駆動部２７と接続されている。  
また、ＣＰＵ２２は、記録装置１に設けられたモニター３１及びコントロールパネル３２、ＡＣ帯電回路１９、ＤＣ帯電回路２０、並びに、記録データ等をＰＣ等の外部装置から入力する等のためのインターフェース３０とデータ及び信号の送受信を行うための入出力部２９と接続されている。  
また、制御部２１には温度センサー３６及び湿度センサー３７が設けられ、これらはシステムバス２３を介してＣＰＵ２２と接続されている。
【００５２】
制御部２１は、被記録媒体Ｐの搬送時における水分に関する様々な情報に基づいて、第１帯電部であるＡＣ帯電回路１９と第２帯電部であるＤＣ帯電回路２０とを切り替えて無端ベルト４を帯電するよう制御する。
【００５３】
例えば、制御部２１は、湿度センサー３７から入力される湿度情報に基づいて、無端ベルト４を帯電する帯電部を、前記第１帯電部と前記第２帯電部とで切り替える。具体的には、湿度センサー３７が検出した湿度が予め定められた閾値よりも高い場合には、無端ベルト４の帯電を前記第２帯電部が行うよう制御する。  
また、本実施例の記録装置１は、湿度情報をユーザーがコントロールパネル３２やインターフェース３０を介して外部装置から入力可能である。制御部２１は、該湿度情報として入力された湿度が予め定められた閾値よりも高い場合には、無端ベルト４の帯電を前記第２帯電部が行うよう制御することもできる。
【００５４】
また、制御部２１は、無端ベルト４へのインク付着情報を入力可能であって、前記インク付着情報を入力した場合は、無端ベルト４の帯電を前記第２帯電部が行うよう制御する。具体的には、光学センサーＳ１で被記録媒体Ｐの通過を検出し光学センサーＳ２により被記録媒体Ｐの通過を検出しなかった場合に、無端ベルト４へのインク付着情報を入力したと見なし、無端ベルト４の帯電を前記第２帯電部が行うよう制御する。
【００５５】
また、制御部２１は、前記インク付着情報を入力した場合は、予め定められた時間、記録を止め、クリーニング部３８により布ロールの布Ｃを方向Ｂに送りながら無端ベルト４をクリーニングするようクリーニング部３８を制御する。そして、その後、予め定められた時間、布ロールの布Ｃを送ることなく無端ベルト４をクリーニングするようクリーニング部３８を制御しつつ、無端ベルト４の帯電を前記第２帯電部が行うよう制御して記録を再開する。
【００５６】
また、制御部２１は、記録を開始してから予め定められた時間を経過すると、無端ベルト４の帯電を前記第２帯電部が行うよう制御する。この制御は、長時間記録を実行すると無端ベルト４の付近の湿度は上昇するが、予め定められた時間記録を実行したことに伴って無端ベルト４の付近の湿度が閾値を超えたと見なして、無端ベルト４の帯電を前記第２帯電部が行う制御である。  
なお、無端ベルト４の付近に湿度センサーを設け、記録に伴う無端ベルト４の付近の湿度を実際に検出可能な構成とし、該湿度センサーで検出された湿度が閾値を超えた場合に、無端ベルト４の帯電を前記第２帯電部により行わせてもよい。
【００５７】
また、本実施例の記録装置１は、被記録媒体Ｐの第１面への記録後に該被記録媒体Ｐを反転機構１０により反転させて前記第１面の反対側の第２面に記録する両面記録モードを有している。  
制御部２１は、前記両面記録モードでの前記第２面への記録の際、無端ベルト４の帯電を前記第２帯電部が行う制御をする。また、本実施例の記録装置１は、この際、前記第１面への記録の際及び前記第２面への記録の際の両方において、前記担持面の帯電を前記第２帯電部が行う制御をする。
【００５８】
［実施例２］（図３）  
次に、本発明の実施例２に係る記録装置について説明する。  
図３は、本発明の実施例２に係る記録装置の概略側面図である。なお、上記実施例と共通する構成部材は同じ符号で示しており、詳細な説明は省略する。  
本実施例の記録装置１は、無端ベルト４の帯電部の構成のみが実施例１の記録装置１と相違する。
【００５９】
本実施例の無端ベルト４の帯電部は、帯電ローラー８に接続される帯電回路をＡＣ帯電回路１９とＤＣ帯電回路２０とでスイッチＳＷによって切り替え可能な構成となっている。なお、スイッチＳＷの切り替え制御は制御部２１によって行われる。  
このように、本実施例の記録装置１では、第１帯電部がＡＣ帯電回路１９により構成され、第２帯電部がＤＣ帯電回路２０により構成され、制御部２１がスイッチＳＷを制御して無端ベルト４を帯電する帯電部を切り替え可能である。なお、制御部２１による無端ベルト４を帯電する際の帯電部の切り替え条件は、実施例１の記録装置１と同様である。
【００６０】
［記録方法の実施例］（図４）  
次に、本実施例の記録方法について説明する。  
図４は、本実施例の記録方法を表すフローチャートである。  
なお、本実施例の記録方法は、実施例１の記録装置１を用いて行った実施例である。
【００６１】
本実施例の記録方法では、記録装置１が記録データを入力すると、最初に、ステップＳ１１０において、制御部２１は、湿度センサー３７から湿度情報を入力し、湿度が予め定められた閾値を超えているか否かを判断する。本ステップで、湿度が予め定められた閾値を超えていると判断した場合はステップＳ１５０に進み、湿度が予め定められた閾値を超えていないと判断した場合はステップＳ１２０に進む。
【００６２】
ステップＳ１２０において、制御部２１は、インク付着情報を入力したか否かを判断する。具体的には、光学センサーＳ１で被記録媒体Ｐの通過を検出し光学センサーＳ２により被記録媒体Ｐの通過を検出しなかった場合に、制御部２１は無端ベルト４へのインク付着情報を入力したと見なす。本ステップで、インク付着情報を入力したと判断した場合はステップＳ１５０に進み、インク付着情報を入力しなかったと判断した場合はステップＳ１３０に進む。  
なお、本ステップでインク付着情報を入力したと判断した場合は、光学センサーＳ１と光学センサーＳ２の間で被記録媒体Ｐが停滞したことが想定されるため、停滞した被記録媒体を除去したり、無端ベルト４をクリーニングしたりなどした後に、ステップＳ１５０を実行する。
【００６３】
ステップＳ１３０において、制御部２１は、記録開始してから所定時間経過したか否かを判断する。具体的には、記録装置１が記録データを入力して記録動作を開始してから予め定められた時間を経過したか否かを制御部２１は判断する。本ステップで、記録開始してから所定時間経過したと判断した場合はステップＳ１５０に進み、記録開始してから所定時間経過していないと判断した場合はステップＳ１４０に進む。
【００６４】
ステップＳ１４０において、制御部２１は、両面記録モードで記録を行うか否かを判断する。具体的には、記録装置１が入力した記録データが、両面記録モードで記録を行う記録データか、被記録媒体Ｐの片面のみに記録を行う片面記録モードで記録を行う記録データかを制御部２１は判断する。本ステップで、両面記録モードで記録を行うと判断した場合はステップＳ１５０に進み、片面記録モードで記録を行うと判断した場合はステップＳ１６０に進む。  
なお、本実施例の記録方法では、両面記録モードで記録を行うと判断した場合は、前記第１面に記録を行う場合（前記第１面に記録を行う被記録媒体Ｐを搬送する場合）と前記第２面に記録を行う場合（前記第２面に記録を行う被記録媒体Ｐを搬送する場合）の何れも無端ベルト４をＤＣ帯電させて記録する。ただし、前記第１面に記録を行う場合は無端ベルト４をＡＣ帯電させ、前記第２面に記録を行う場合は無端ベルト４をＤＣ帯電させ、無端ベルト４を帯電させる帯電部を切り替えながら記録させてもよい。例えば、前記第１面に記録を行う被記録媒体Ｐと前記第２面に記録を行う被記録媒体Ｐとが交互に搬送される場合は、無端ベルト４を帯電させる帯電部を交互に切り替えながら記録させてもよい。また、無端ベルト４の帯電を交互に切り替えることが困難な場合、例えば被記録媒体の搬送方向の長さが帯電を交互に切り替えるのに十分な長さでない場合には、両面を記録させる記録命令中は、第１面と第２面ともに無端ベルト４の表面をＤＣ帯電させた状態で被記録媒体を搬送させることも可能である。
【００６５】
ステップＳ１５０においては、無端ベルト４の帯電を前記第２帯電部が行うことにより無端ベルト４をＤＣ帯電させて記録する。そして、ステップＳ１７０に進む。  
一方、ステップＳ１６０においては、無端ベルト４の帯電を前記第１帯電部が行うことにより無端ベルト４をＡＣ帯電させて記録する。そして、ステップＳ１７０に進む。  
すなわち、本実施例の記録方法は、ステップＳ１１０からステップＳ１６０により、湿度情報を入力し、該湿度情報に基づいて第１帯電部と第２帯電部とを切り替えて無端ベルト４を帯電して、記録する。
【００６６】
ステップＳ１７０においては、制御部２１は、記録装置１に入力された記録データの記録が終了したかどうかを判断する。本ステップにおいて、記録が終了していないと判断した場合は記録が終了したと判断するまでステップＳ１１０に戻り、記録が終了したと判断した場合は本実施例に係る記録方法を終了する。
【００６７】
［変形例］  
なお、ステップＳ１２０においてインク付着情報を入力したと判断した場合に、ステップＳ１５０に進む前に、被記録媒体Ｐへの記録を行うことなく布ロールの布Ｃを送りつつ無端ベルト４をクリーニングし、さらにその後ステップＳ１５０に進み、被記録媒体Ｐへの記録を行いつつ布ロールの布Ｃを送ることなく無端ベルト４をクリーニングしてもよい。この場合、布ロールの布Ｃを送りつつ無端ベルト４をクリーニングすることで、布ロールの布Ｃを送ることなく無端ベルト４をクリーニングする場合よりも、無端ベルト４に付着したインクを効率的に拭き取ることができる。そして、ＤＣ帯電により記録が行える程度に無端ベルト４をクリーニングした後に、ステップＳ１５０のＤＣ帯電による記録を行うことで、ステップＳ１６０のＡＣ帯電による記録を行える程度に無端ベルト４をクリーニングする場合よりも、記録のスループットの低下を抑制することができる。また、布ロールの布Ｃを送ることなくクリーニングすることで、布ロールの消費を抑制できる。なお、布ロールの布Ｃを送りながら行うクリーニングは、所定の時間だけ行ってもよいし、打端ベルト４に付着したインクを検出するための光学センサーを記録装置１に備え、当該光学センサーの検出結果に応じた時間だけ行ってもよい。
【００６８】
また、ステップＳ１２０における制御部２１の判断において、無端ベルト４に対して付着したインク量を検出するための光学センサーなどのセンサーを記録装置１に備え、当該光学センサーの検出結果を、上述のインク付着情報としてもよい。そして、当該光学センサーの検出結果により特定されたインク付着量が所定の閾値を超える場合にステップＳ１５０に進み、超えない場合にステップＳ１３０へ進む。ここで、無端ベルト４に付着したインクは、被記録媒体Ｐの搬送に影響を与える水分であるので、この場合であっても被記録媒体の搬送時における水分の影響を抑制することが可能になる。
【００６９】
また、本実施例の記録装置１では、ステップＳ１２０における制御部２１の判断に用いる光学センサーＳ１を、記録ヘッド９に対して搬送方向Ａの上流側に、光学センサーＳ２を、記録ヘッド９に対して搬送方向Ａの下流側にそれぞれ設けた。しかし、例えば光学センサーＳ１をゲートローラーＲｇの位置に、光学センサーＳ２をガイド部Ｇ１の位置に設け、それぞれの検出結果により無端ベルト４にインクが付着したか否かを擬制してもよい。また、無端ベルト４の代わりに搬送ドラムを用いてもよく、搬送ドラム上の搬送不良を検出してもよい。
【００７０】
なお、上述した実施例および変形例では、無端ベルト４をＤＣ帯電させて記録するのかＡＣ帯電させて記録するのかを、各ステップＳ１１０〜Ｓ１４０等における制御部２１の判断に応じて切り替えたが、制御部２１は各ステップＳ１１０〜Ｓ１４０のいずれかのみの判断しか行わなくてもよいし、選択的に２つ以上の判断のみをおこなってもよい。また、２つ以上の判断を行う場合に、判断する順番はこれ以外の順番であってもよい。この場合であっても、被記録媒体の搬送時における水分の影響を抑制することが可能になる。
【００７１】
また、クリーニング部３８によるクリーニングは布ロールによるクリーニングに限られず、例えばワイパーにより無端ベルト４に付着したインクを拭き取ってもよい。  
また、上述した実施例では、無端ベルト４をＤＣ帯電させて記録するのかＡＣ帯電させて記録するのかを、各ステップＳ１１０〜Ｓ１４０における制御部２１の判断に応じて切り替えたが、制御部２１は各ステップＳ１１０〜Ｓ１４０のいずれかのみの判断しか行わなくてもよいし、選択的に２つ以上の判断のみを行ってもよい。この場合であっても、被記録媒体の搬送時における水分の影響を抑制することが可能になる。また、選択的に２つ以上の判断を行う場合に、いずれかの判断でステップＳ１５０のＤＣ帯電による記録を行うと判断されれば、残る判断でそう判断されなくてもステップＳ１５０のＤＣ帯電による記録を行ってもよい。この場合であっても、被記録媒体の搬送時における水分の影響をできるだけ抑制することが可能になる。
【００７２】
［搬送性評価］  
次に、上記実施例の記録装置１を用いて搬送性評価を行った。下記にその評価方法及び評価結果を示す。  
下記表１に記載の相対湿度及び温度３５℃の条件で記録装置１を１２時間放置した。  
その後、搬送方向の長さ２１０ｍｍのＡ４の被記録媒体Ｐ５０枚に記録し、被記録媒体Ｐの搬送が適切にされているかを下記表１の搬送吸着力として、下記の基準で評価した。  
○：ＰＧ１．０ｍｍで正常搬送  
△：ＰＧ１．５ｍｍで正常搬送、ＰＧ１．０ｍｍで許容範囲内の被記録媒体Ｐと記録装置１の構成部材との干渉有  
×：ＰＧ１．５ｍｍでジャムが多発し許容範囲外
【００７３】
なお、被記録媒体Ｐは、ＸｅｒｏｘＰ紙を用いた。搬送速度は、１５ｉｐｓ（ｉｎｃｈ  ｐｅｒ  ｓｅｃｏｎｄ）とした。また、ＡＣ帯電は、４５Ｈｚで±２ｋＶの電圧を印加し，ＤＣ帯電は、１．５ｋＶの電圧を印加した。  
また、帯電ベルト４の外層の組成はポリイミド、厚みは３０μｍ、表面抵抗率は１．２×１０１２とし、内層の組成はポリイミド、厚みは８０μｍ、表面抵抗率は４．５×１０６とした。なお、外層の厚みは、２０〜４０μｍでもよく、内層の厚みは、６０〜７０μｍでもよい。詳細は後述する。  
なお、表面抵抗率は、２３℃、相対湿度５５％の環境下で、円形電極（例えば、三菱化学（株）製ハイレスターＵＰの「ＵＲＳプローブ」）又は四探針電極（例えば、三菱化学（株）製ロレスタ）を用い測定することができる。測定条件としては、例えば、荷重２．０ｋｇ、チャージ時間１０秒とし、印可電圧は１０Ｖ又は２５０Ｖを印可して測定することができる。
【００７４】
【表１】
2014172709.tif 000003
【００７５】
同様に表２に記載の相対湿度及び温度１５℃の条件で記録装置１を１２時間放置した。  
その後、搬送方向の長さ２１０ｍｍのＡ４の被記録媒体Ｐ１００枚に記録し、ガイド部Ｇ１で搬送方向の変更が適切にされているかを下記表２の搬送負荷として、下記の基準で評価した。  
○：ガイド部Ｇ１で搬送方向の変更が適切に行われた被記録媒体Ｐの枚数が１００枚  
△：ガイド部Ｇ１で搬送方向の変更が適切に行われた被記録媒体Ｐの枚数が９０枚以上１００枚未満  
×：ガイド部Ｇ１で搬送方向の変更が適切に行われた被記録媒体Ｐの枚数が１０枚以下  
【００７６】
なお、被記録媒体Ｐは、ＸｅｒｏｘＰ紙を用いた。搬送速度は、１５ｉｐｓ（ｉｎｃｈ  ｐｅｒ  ｓｅｃｏｎｄ）とした。また、ＡＣ帯電は、４５Ｈｚで±２ｋＶの電圧を印加し，ＤＣ帯電は、１．５ｋＶの電圧を印加した。  
また、帯電ベルト４の外層の組成はポリイミド、厚みは３０μｍ、表面抵抗率は１．２×１０１２とし、内層の組成はポリイミド、厚みは８０μｍ、表面抵抗率は４．５×１０６とした。なお、外層の厚みは、２０〜４０μｍでもよく、内層の厚みは、６０〜７０μｍでもよい。詳細は後述する。  
なお、表面抵抗率は、２３℃、相対湿度５５％の環境下で、円形電極（例えば、三菱化学（株）製ハイレスターＵＰの「ＵＲＳプローブ」）又は四探針電極（例えば、三菱化学（株）製ロレスタ）を用い測定することができる。測定条件としては、例えば、荷重２．０ｋｇ、チャージ時間１０秒とし、印可電圧は１０Ｖ又は２５０Ｖを印可して測定することができる。
【００７７】
【表２】
2014172709.tif 000004
【００７８】
上記表１及び表２から明らかなように、相対湿度が５０％以上７０％以下の範囲において閾値を設定し、当該閾値に対して相対湿度が上回る場合には担持面にＤＣ帯電を行い、下回る場合には担持面にＡＣ帯電を行うことが好ましい。さらには、相対湿度が６５％を閾値に設定し、当該閾値に対して相対湿度が上回る場合には担持面にＤＣ帯電を行い、下回る場合には担持面にＡＣ帯電を行うことがより好ましい。その結果、比較的に低湿度環境ではＡＣ帯電させることにより支持担持面から外れた後の被記録媒体Ｐの搬送の際の搬送負荷の増大を抑制することが可能となり、被記録媒体Ｐからの放電が生じやすい比較的に高湿度環境ではＤＣ帯電させることにより水分の影響により被記録媒体が支持担持面に吸着しづらくなることを抑制することが可能になる。  
なお、気温が３０℃を下回る場合には空気中の水分量の影響が小さいので担持面をＡＣ帯電のみで帯電させ、３０℃を上回る場合に上述したように相対湿度に応じてＡＣ帯電とＤＣ帯電とを切り替えてもよい。また、上述した実施例では、無端ベルト４の帯電は空気中の水分量の影響を受けるので相対湿度に応じて帯電の方式を切り替えたが、湿度および温度に応じて帯電の方式を切り替えてもよい。
【００７９】
（無端ベルト）  
次に、上記の評価で用いた無端ベルト４について説明する。  
上記の評価で用いた無端ベルト４は、内層と外層とを有し、被記録媒体Ｐを外層に担持させて搬送する搬送ベルトである。なお、内層と外層との間に中間層を備えていてもよく、２層で構成されるもののほか３層以上で構成されるものでもよい。
【００８０】
内層を構成する成分等については特に限定はないが、無端ベルト４の機械強度を確保しつつ静電吸着のための導通を確保できる等の観点から、導電性のポリイミド系樹脂を含むものを用いた。ポリイミド系樹脂成分を含むことで、製膜時の溶剤除去とイミド化時の架橋により成形時の残留歪を取り除き、環境変化時の寸法変動やうねりたわみを少なくでき、周長変化も少なくすることができる。外層も同様の観点から、導電性のポリイミド系樹脂を含むものを用いた。ただし、内層や外層はこれらに限られず、また内層と外層とで異なっていてもよい。
【００８１】
導電性ポリイミド系樹脂は、ポリイミド系樹脂及び導電材を含んでいる。ポリイミド系樹脂としては、例えば、熱可塑性ポリイミド、熱硬化性ポリイミド、ポリエーテルイミド、ポリアミドイミド等を使用することができる。これにより、駆動ロール張架によるベルトの変形を防ぐことができ安定した用紙吸着性を付与できる。好ましくは、熱硬化性のポリイミドである。
【００８２】
熱硬化性ポリイミドとしては、芳香族テトラカルボン酸成分と芳香族ジアミン成分とを有機溶媒中で反応させて得られるものが好ましく用いられる。
【００８３】
芳香族テトラカルボン酸成分としては、例えば、ピロメリット酸、ナフタレン−１，４，５，８テトラカルボン酸、２，２’，３，３’ビフェニルテトラカルボン酸、ナフタレン−２，３，６，７−テトラカルボン酸、２，３，５，６−ビフェニルテトラカルボン酸、３，３’，４，４’−ジフェニルエーテルテトラカルボン酸、３，３’，４，４’−ベンゾフェノンノンテトラカルボン酸、３，３’，４，４’−ジフェニルテトラカルボン酸、３，３’，４，４’−ジフェニルスルホンテトラカルボン酸、３，３’，４，４’−アゾベンゼンテトラカルボン酸、ビス（２，３−ジカルボキシフェニル）メタン、ビス（３，４−ジカルボキシフェニルメタン）、ビス（３，４ジカルボキシフェニルプロパン）、ビス（３，４ジカルボキシフェニル）ヘキサフルオロプロパン等、又はこれらの酸二無水物があげられ、これらのうち単独又は２種以上の混合物でよい。好ましくは、３，３’，４，４’−ジフェニルテトラカルボン酸又はその酸二無水物、及びピロメリット酸である。
【００８４】
芳香族ジアミン成分としては、例えば、ｍ−フェニルジアミン、ｐ−フェニルジアミン、２，４−アミノトルエン、２，６−アミノトルエン、２，４−ジアミノクロロベンゼン、ｍ−キシリレンジアミン、ｐ−キシリレンジアミン、１，４−ジアミノナフタレン、１，５−ジアミノナルタレン、２，６−ジアミノナフタレン、２，４’−ジアミノナフタレンビフェニル、ベンジジン、３，３−ジメチルベンジジン、３，３’−ジメトキシベンジジン、３，４’−ジアミノジフェニルエーテル、４，４’−ジアミノジフェニルエーテル（ＯＤＡ）、４，４’−ジアミノジフェニルスルフィド、３，３’−ジアミノベンゾフェノン、４，４’−ジアミノフェニルスルホン、４，４’−ジアミノアゾベンゼン、４，４’−ジアミノジフェニルメタン、ビスーアミノフェニルプロパン等が挙げられる。好ましくは、ｐ−フェニルジアミン、又は４，４’−ジアミノジフェニルエーテル（ＯＤＡ）である。
【００８５】
有機溶媒として、例えば，Ｎ−メチル−２−ピロリドン、Ｎ，Ｎ−ジメチルアセトアミド、ジメチルスルホキシド、ヘキサメチルホスホニルトリアミド等が挙げられる。必要に応じて、クレゾール、フェノール、キシレノール等のフェノール類、ヘキサンベンゼン、トルエン等の炭化水素類を混合してもよい。また、これらを単独で用いても、２種以上の混合物として使用してもよい。
【００８６】
熱可塑性ポリイミドの場合は、芳香族テトラカルボン酸成分としては前記熱硬化性ポリイミドで例示するものと同じものが例示できるが、芳香族ジアミン成分としては、例えば、ビス［４−｛３−（４−アミノフェノキシ）ベンゾイル｝フェニル］エーテル、４，４´−ビス（３−アミノフェノキシ）ビフェニル、ビス［４−（３−アミノフェノキシ）フェニル］スルフィド、２，２´−ビス［４−（３−アミノフェノキシ）フェニル］プロパン等を挙げることができ、これらの中で適宜組合せて使用できる。
【００８７】
ポリエーテルイミドの場合は、芳香族ジアミン成分としては前記熱硬化性ポリイミドで例示するものと同じものが例示できるが、芳香族テトラカルボン酸成分としては、例えば、ビスフェノール−Ａ型テトラカルボン酸二無水物等を挙げることができ、これらの中で適宜組合せて使用できる。
【００８８】
ポリアミドイミドの場合は、無水トリメリット酸と芳香族ジアミン成分から調製され、芳香族ジアミン成分としては前記熱硬化性ポリイミドで例示するものと同じものが例示できる。
【００８９】
導電材としては、電子伝導性導電材、イオン導電性材料等が例示される。電子伝導性導電材としては、例えば、カーボンブラック、グラファイト、Ａｌ、Ｎｉ、銅等のフィラーや、酸化錫、酸化亜鉛、チタン酸Ｋ、酸化Ｉｎ、酸化錫−酸化Ｉｎ、酸化Ｓｂなどの複合酸化物が挙げられる。また、イオン導電性材料としては、例えば、アンモニウム塩、スルホン酸塩、カチオン、ノニオン、アニオン系の界面活性材が挙げられる。
【００９０】
導電材のうち好ましくはカーボンブラックである。例えば、ガスブラック、アセチレンブラック、オイルファーネスブラック、サーマルブラック、チャネルブラック、ケッチェンブラック等が挙げられる。より少量の混合で所望の導電率を得るのに有効なものとしては、ケッチェンブラック、アセチレンブラックとオイルファーネスブラックである。なお、ケッチェンブラックとは、コンタクティブファーネス系のカーボンブラックである。
【符号の説明】
【００９１】
１  記録装置、２  トレイ、３  搬送経路、４  無端ベルト（担持面）、５  ローラー、
６  ローラー、７  加圧ローラー、８  帯電ローラー、９  記録ヘッド、
１０  反転機構、１１  搬送経路、１２  スタック部、１３  搬送経路、
１４  搬送経路、１５  トレイ、１６  搬送経路、１７  トレイ、
１８  帯電ローラー、１９  ＡＣ帯電回路（第１帯電部）、
２０  ＤＣ帯電回路（第２帯電部）、２１  制御部、２２  ＣＰＵ、
２３  システムバス、２４  ＲＯＭ、２５  ＲＡＭ、２６  ヘッド駆動部、
２７  モーター駆動部、２８  搬送ローラー用モーター、２９  入出力部、
３０  インターフェース、３１  モニター、３２  コントロールパネル、
３３  ピックアップローラー用モーター、３４  ゲートローラー用モーター、
３５  無端ベルト駆動ローラー用モーター、３６  温度センサー、
３７  湿度センサー、３８  クリーニング部、Ｃ  布ロールの布、Ｇ１  ガイド部、
Ｇ２  ガイド部、Ｒ  搬送ローラー、Ｒｇ  ゲートローラー、
Ｒｐ  ピックアップローラー、Ｓ１  光学センサー、Ｓ２  光学センサー、
ＳＷ  スイッチ
【図１】
2014172709.tif 000005
【図２】
2014172709.tif 000006
【図３】
2014172709.tif 000007
【図４】
2014172709.tif 000008